(57)【特許請求の範囲】
【請求項１】
被写体に向けて光を発する発光手段と、この発光手段の照射角を変更するズーム手段と、前記発光手段から発せられた光の一部を受光する受光手段と、前記発光手段をモデリング発光させる発光制御手段とを備えたモデリング発光装置において、
前記発光制御手段は、
前記受光手段からの出力を電圧に変換して蓄積する積分手段と、
各照射角でのフル発光時のガイドナンバーの（１／規定値）倍に対応させて基準電圧を設定するレベル設定手段と、
この基準電圧と前記積分手段の蓄積電圧とを比較する比較手段とを備え、
所定の周期で前記発光手段の発光を開始させ、前記蓄積電圧と基準電圧とが等しくなった時に前記発光手段の発光を停止させる動作を所定回数連続させることを特徴とするモデリング発光装置。
【請求項２】
請求項１記載のモデリング発光装置において、前記規定値は、モデリング発光における前記発光手段の発光回数以下に規定されているモデリング発光装置。
【発明の詳細な説明】
【０００１】
【発明の技術分野】
本発明は、被写体の影の出方を撮影前に確認できるモデリング発光装置に関する。
【０００２】
【従来技術およびその問題点】
従来のフラッシュ撮影では、フラッシュ照射範囲を確認したり、フラッシュの充電が完了して実際に発光するかどうかを確認したり、フラッシュ装置の配設位置を決定したり等するため、撮影前にフラッシュ装置をテスト発光させることがある。このテスト発光のうち、被写体の影の出方を確認するためフラッシュ装置を複数回連続して微小発光させるものを、特にモデリング発光と呼んでいる。
【０００３】
従来のフラッシュ装置のモデリング発光は、発光管を一定の発光時間、発光間隔で複数回連続して発光させている。このようにフラッシュ装置を複数回連続して発光させると、発光回数が増加するにつれて電源（メインコンデンサー）の充電電圧が減少するため、モデリング発光の前期（開始直後）と後期（終了間際）とでは発光量のばらつきが生じている（図４参照）。すなわち、発光回数が増えるにつれて発光管の発光量は減少する傾向にある。このように発光管の発光量が減少していくと、モデリング発光途中で発光不良となる虞があり、発光不良状態では被写体の影の出方が不明瞭になってしまう。
【０００４】
【発明の目的】
本発明は、上記問題点に鑑み、安定した光量でモデリング発光が行えるモデリング発光装置を得ることを目的とする。
【０００５】
本発明は、被写体に向けて光を発する発光手段と、この発光手段の照射角を変更するズーム手段と、発光手段から発せられた光の一部を受光する受光手段と、発光手段をモデリング発光させる発光制御手段とを備えたモデリング発光装置において、発光制御手段は、受光手段からの出力を電圧に変換して蓄積する積分手段と、各照射角でのフル発光時のガイドナンバーの（１／規定値）倍に対応させて基準電圧を設定するレベル設定手段と、この基準電圧と積分手段の蓄積電圧とを比較する比較手段とを備え、所定の周期で発光手段の発光を開始させ、蓄積電圧と基準電圧とが等しくなった時に発光手段の発光を停止させる動作を所定回数連続させることを特徴としている。
【０００６】
上記構成によれば、モデリング発光中の各発光量が略同一になるから、モデリング発光の完了間際に光量不十分となる事態も生じず、安定したモデリング発光を行うことができる。
【０００８】
上記規定値は、モデリング発光の完了間際に発光不良となることがないように、モデリング発光における発光手段の発光回数以下に設定することが好ましい。
【０００９】
【発明の実施の形態】
図１は、本発明を適用したフラッシュ装置の一実施形態を示す概略外観図である。フラッシュ装置１０は、本体部１１と、本体部１１に対してバウンス可能な発光部１２と、カメラ（不図示）に着脱可能なマウント部１３とを有している。フラッシュ装置１０は、マウント部１３を介してカメラに装着されている場合はカメラの外付フラッシュとして機能し、カメラに装着されていない場合はカメラ側からワイヤレス送信された光指令信号を受けて動作するスレーブフラッシュとして機能する。
【００１０】
発光部１２には、被写体側（図２の右方）から順に、フレネルレンズ２１、ガラス板２２、拡散シート２３、キセノン管２４、受光素子２５及び反射傘２６が備えられている。受光素子２５は、開口２７ａを有するホルダ２７に固定されてガラス板２２の背後に設けられている。この受光素子２５は、キセノン管２４から発せられガラス板２２に入射した光の一部（ガラス板２２内で内面反射して開口２７ａの対向領域に達し、開口２７ａ方向に射出した光）を直接受光することができる。キセノン管２４から発せられた光のうち残りの大部分は、ガラス板２２を透過してフレネルレンズ２１から射出し、被写体を照射する。拡散シート２３は、ガラス板２２内から開口２７ａに向かって射出する光を拡散し、受光素子２５の受光量を確保するものである。
【００１１】
上述のガラス板２２、拡散シート２３、キセノン管２４、受光素子２５、反射傘２６及びホルダ２７は、発光ユニット２８として一体に形成されている。発光ユニット２８は、ホルダ２７に固定された一対のガイド筒２９及びガイド筒２９を挿通した一対のガイドロット３０を介し、軸方向Ｘに沿って移動可能となっている。この発光ユニット２８はズームモータ６１により駆動される。すなわち、ズームモータ６１が回転駆動すると、この駆動力がギヤ３１を介して送りねじ３２に伝達されて送りねじ３２が回転し、該ねじの作用により発光ユニット２８が軸方向Ｘに沿って移動する。発光ユニット２８が移動すると、発光ユニット２８とフレネルレンズ２１との間隔が変化し、フラッシュ装置１０の照射角を変更することができる。フラッシュ装置１０がカメラに装着されている場合は、カメラが備えた撮影レンズの焦点距離に応じて発光ユニット２８の位置（ズーム位置）が調整される。
【００１２】
図３は、フラッシュ装置１０の制御系を示すブロック図である。以下の説明では、図示した回路及び素子において、ロー（グランド）レベルの電圧を論理値“０”、ハイレベルの電圧を論理値“１”と示すことにする。
【００１３】
フラッシュ装置１０は、装置全体の動作を統括的に制御する制御手段としてフラッシュＣＰＵ６５を備えている。フラッシュＣＰＵ６５には、電池５１の電圧がショットキーダイオード５２及びレギュレータ５４を介して定電圧Ｖｄｄ１として供給される。電池５１の電圧はショットキーダイオード５２を介してコンデンサー５３にも供給される。
【００１４】
フラッシュＣＰＵ６５には、ズームモータ６１を駆動するモータドライブ回路６２、外部メモリ手段としてのＥＥＰＲＯＭ６０、装着されたカメラと通信するためのカメラ通信インターフェース５９がそれぞれポート群Ｐｂ、Ｐｃ、Ｐｄを介して接続されている。ズームモータ６１は発光ユニット２８を移動させる駆動手段である。ＥＥＰＲＯＭ６０には、各種書き換え可能なパラメータやモードのほか、後述するモデリング発光処理で使用する制御用データ（図９参照）等が格納されている。
【００１５】
カメラ通信インターフェース５９はカメラ接続端子５６を備えている。カメラ接続端子５６はＣ，Ｒ，Ｑ，Ｘ，Ｇの５端子で構成される。Ｃ端子はカメラからの制御信号を入力する制御端子、Ｒ端子はカメラからのクロック信号を入力するクロック端子、Ｑはカメラ‐フラッシュ間の双方向データ通信用とクエンチ信号入力用の兼用端子、Ｘ端子はカメラのＸ端子からの信号を入力する端子、Ｇ端子はグランド端子である。
【００１６】
フラッシュＣＰＵ６５は、スイッチ類として、情報設定スイッチ群６３、メインスイッチ６４を備えている。メインスイッチ６４はスライドスイッチでＯＦＦ、ＷＬ（ワイヤレス）、ＯＮの位置で停止する構成となっており、メインスイッチ６４のＷＬ端子、ＯＮ端子が各々ポートＰ１、Ｐ０に接続されている。
【００１７】
情報設定スイッチ群６３は、ポート群Ｐａを介してフラッシュＣＰＵ６５に接続されている。情報設定スイッチ群６３には、モデリング発光を実行させるモデリングスイッチ６３ａのほか、調光モードを設定する調光要求設定スイッチ、シンクロモードを設定するシンクロ要求設定スイッチ、ワイヤレスモードを設定するワイヤレス設定スイッチ等が含まれている。なお、ワイヤレスモードの設定は、メインスイッチ６４がＷＬ位置にある場合のみ有効となっている。
【００１８】
フラッシュＣＰＵ６５には、ワイヤレス受光素子５７の出力を処理するワイヤレス受光回路５８、外光オート受光素子７１の出力を処理する外光オート回路７０、調光確認情報など各種情報を表示するＬＣＤ表示器７２がそれぞれポート群Ｐｅ、Ｐｆ、Ｐｇを介して接続されている。ワイヤレス受光素子５７は、フラッシュ装置１０がスレーブフラッシュとして機能する場合に、カメラ側からの光指令信号を受光するための素子である。外光オート受光素子７１は、フラッシュ本発光時の外光を受光するための素子である。
【００１９】
またフラッシュＣＰＵ６５には、電池５１の電圧を昇圧する昇圧回路６６がポートＰ２を介して接続されていて、充電検出回路６９のＲＬＳ出力端子がＡ／Ｄ変換ポートＰａｄを介して接続されている。昇圧回路６６によって昇圧された電圧は、ダイオード６７を介してメインコンデンサー７９に供給されるとともに、ダイオード６８を介して充電検出回路６９へ供給される。充電検出回路６９は、昇圧回路６６が駆動しているときのみ、メインコンデンサー７９の端子電圧Ｈｖと同等の電圧Ｈｖ´を入力し、メインコンデンサー７９の充電電圧を検出する。
【００２０】
またフラッシュＣＰＵ６５には、３０Ｖ発生回路７７、レベルシフト回路７８、トリガー回路８０がそれぞれポートＰ４、Ｐ５、Ｐ３を介して接続されている。３０Ｖ発生回路７７は、メインコンデンサー７９の端子電圧ＨＶを電源として３０Ｖｏｕｔ端子から３０Ｖの電圧を発生する回路である。３０Ｖ発生回路７７から出力された３０Ｖの電圧はレベルシフト回路７８に与えられる。
【００２１】
レベルシフト回路７８は、ポートＰ５（ＩＧＢＴｃｔｌ信号）が“１”のとき、３０Ｖ発生回路７７から与えられた３０Ｖの電圧をＩＧＢＴ８３のゲートＩＧＢＴｇに印加し、ＩＧＢＴ８３をオンする。一方、ポートＰ５が“０”のとき、上記の電圧印加を止めてＩＧＢＴ８３をオフする。
【００２２】
トリガー回路８０は、キセノン管２４のトリガー電極ＸｅＴ端子に高圧の振動電圧を印加し、キセノン管２４内のキセノンガスを励起状態とする。この励起状態において、ＩＧＢＴ８３がオンしている場合はメインコンデンサー７９の蓄積電荷がコイル８１、キセノン管２４、ＩＧＢＴ８３を介して放電され、キセノン管２４が発光する。
【００２３】
さらにフラッシュＣＰＵ６５には、コンパレータ７５の非反転入力端子がＤ／Ａ変換ポートＰｄａを介して接続され、コンデンサー７３、抵抗７４がそれぞれポートＰ６、Ｐ７に接続されている。コンデンサー７３と抵抗７４の接続点はコンパレータ７５の反転入力端子に接続されている。コンパレータ７５の反転入力端子には、さらに受光素子２５が接続されている。受光素子２５は、上述したようにキセノン管２４から発せられた光の一部を直接受光し、その受光量に対応する光電流を出力する。
【００２４】
コンパレータ７５は、Ｄ／Ａ変換ポートＰｄａから入力した基準電圧ＦＰｌｖｌと受光素子２５の出力に対応する電圧ＰＤｆｌとを比較し、電圧ＰＤｆｌが基準電圧ＦＰｌｖｌ以下のときは“１”を、電圧ＰＤｆｌが基準電圧ＦＰｌｖｌを超えているときは“０”を出力する。コンパレータ７５の出力は抵抗７６を介してレベルシフト回路７８に与えられる。レベルシフト回路７８は、ポートＰ５が入力モードに設定されているとき、コンパレータ７５の出力をＩＧＢＴｃｔｌ信号として入力し、このＩＧＢＴｃｔｌ信号に基づいてＩＧＢＴ８３をオン／オフさせる。
【００２５】
以上のフラッシュ装置１０は、使用者によってモデリングスイッチ６３ａがオン操作された時にモデリング発光を実行する。このモデリング発光とは、フラッシュ発光によって生じる被写体の陰影を確認できるように、キセノン管２４を所定の周期で所定回数連続して発光させることをいう。
【００２６】
本実施形態では、モデリング発光におけるキセノン管２４の各発光量が略同一になるように、キセノン管２４の発光を制御する。すなわちフラッシュＣＰＵ６５は、所定の周期でキセノン管２４の発光を開始させ、受光素子２５の受光量が規定量に達した時にキセノン管２４の発光を停止させる動作を所定回数連続して行う（図５参照）。図５において、ハッチングを付した部分は発光量に対応していて、その面積は全て等しくなっている。なお、発光回数が増えるにつれてメインコンデンサー７９の充電電圧は降下していくが、本実施形態ではモデリング発光中の各発光量が規定量に達するまでキセノン管２４の発光を継続させるため、発光回数が増えるにつれて発光時間が長くなっている。
【００２７】
さらにフラッシュＣＰＵ６５は、モデリング発光におけるキセノン管２４の１回の発光がフル発光時のガイドナンバーの（１／Ａ）倍に相当するように、コンパレータ７５の非反転入力端子に与える基準電圧ＦＰｌｖｌを設定する。ここでＡは予め設定された固定値であり、少なくともモデリング発光中のキセノン管２４の発光回数以下に設定されている。このようにキセノン管２４の各発光量をフル発光量の１／Ａ倍に設定すれば、発光ユニット２８のズーム位置によらず、同一の発光量でキセノン管２４を発光させることができる。
【００２８】
以下では、フラッシュ装置１０の動作について、図６〜図８に示されるフローチャートを参照して詳細に説明する。図６はフラッシュ装置１０のメイン処理に関するフローチャートである。フラッシュ装置１０に電池５１が装填されると、フラッシュＣＰＵ６５はリセットされた後、メイン処理に入る。
【００２９】
メイン処理に入ると先ず、全ての割り込みを禁止し、各入出力ポート、変換ポートなどを初期化する（Ｓ５００）。次に、ポート群Ｐｃを介してＥＥＰＲＯＭ６０と通信を行い、ＥＥＰＲＯＭ６０の初期データを読み込む（Ｓ５０１）。続いて、１２５ｍｓ（ミリ秒）のリロードタイマーをタイマーＡとしてセットし、タイマーＡをスタートさせる（Ｓ５０２）。そして、カメラ側からの通信割り込みを許可する一方、ワイヤレス受光回路５８からのＰＷＣ割り込みを禁止し（Ｓ５０３）、Ｆ_ＣRequestフラグに１をセットすると共にＦ_ＷＬｓフラグを０にクリアする（Ｓ５０４）。Ｆ_ＣRequestフラグには、メインコンデンサー７９を最大電圧まで充電する必要があるときに、１がセットされる。Ｆ_ＷＬｓフラグには、フラッシュ装置１０がスレーブフラッシュとして機能する場合に所定の設定が完了していれば、１がセットされる。
【００３０】
続いて、メインスイッチ６４がオフか否かをポートＰ０、Ｐ１の入力レベルによってチェックする（Ｓ５０５）。メインスイッチ６４がオフ位置にあるときは、入力ポートＰ０及びＰ１がいずれも“１”となっている。メインスイッチ６４がオフしていたときは（Ｓ５０５；Ｙ）、出力ポートＰ２を“１”にして昇圧回路６６の昇圧動作を停止し（Ｓ５１６）、カメラ側からの通信割り込み及びＰＷＣ割り込みを禁止して（Ｓ５１７）、入力ポートＰ０、Ｐ１のオン割り込みを許可し（Ｓ５１８）、スリープ状態に移行する（Ｓ５１９）。このスリープ状態では入力ポートＰ０、Ｐ１のオン割り込みが許可されているため、メインスイッチ１１がオフ以外（オンまたはＷＬ）になると割り込みが発生し、Ｓ５００に戻ってメイン処理を開始する。
【００３１】
メインスイッチ６４がオフ以外（オンかＷＬ）のときは、メインコンデンサー７９を充電する充電処理を実行する（Ｓ５０６）。充電処理では、出力ポートＰ２を“０”として昇圧回路６６を昇圧動作させ、ダイオード６７を介してメインコンデンサー７９を充電する。メインコンデンサー７９の充電が開始されると、充電検出回路６９にはメインコンデンサー７９の端子電圧Ｈｖに等しい電圧Ｈｖ´が入力される。この入力電圧Ｈｖ´は充電検出回路６９内の抵抗により分圧されてＲＬＳ端子に出力され、Ａ／Ｄ変換ポートＰａｄからフラッシュＣＰＵ６５に入力される。本実施形態では、Ｈｖ´＝３３０ＶのときＲＬＳ＝３．３Ｖ、またＨｖ´＝２７０ＶのときＲＬＳ＝２．７Ｖとなるように充電検出回路６９内の抵抗比を設定してある。また本実施形態では、ＲＬＳ端子の出力電圧レベルが２．７Ｖ以上となったらＣｈａｒｇｅフラグを１にセットし、ＲＬＳ端子の出力電圧レベルが３．３Ｖ以上となったら充電を停止する。なお、Ｆ_ＣRequestフラグに１がセットされているときは、ＲＬＳ端子の出力電圧レベルが３．３Ｖになるまで一度は必ず充電される。
【００３２】
充電処理を実行したら、情報設定ＳＷ群６３で設定されたスイッチ情報を入力する設定情報入力処理を実行し（Ｓ５０７）、モデリングスイッチ６３ａがオンしていたか否かをチェックする（Ｓ５０８−１）。モデリングスイッチ６３ａがオンしていた場合は、モデリング発光処理を実行する（Ｓ５０８−１；Ｙ、Ｓ５０８−２）。モデリング発光処理は、所定の周期でキセノン管２４を所定回数発光させる処理であって、本実施形態ではキセノン管２４の毎回の発光量が一定となるようにキセノン管２４の発光を制御する（詳細は後述する）。モデリングスイッチ６３ａがオンしていなかった場合はＳ５０８−２をスキップする（Ｓ５０８−１；Ｎ）。
【００３３】
そして通信情報処理を実行する（Ｓ５０９）。通信情報処理では、設定したＦＣ通信情報をカメラに出力し、カメラから転送されるＣＦ情報に基づいて各モードなどを再設定する。通信情報処理を実行したら、Ｓ５０６〜Ｓ５０９で処理されたフラッシュに関する情報をＬＣＤ表示器７２に表示させる（Ｓ５１０）。Ｓ５１０で表示される情報としては、調光モード、シンクロモード、ワイヤレスモード、充電完了情報、調光確認情報、フラッシュ光がカバーできる焦点距離、最長調光距離及び最短調光距離などがある。
【００３４】
表示処理を実行したら、カメラ側から入力したレンズ焦点距離情報に基づいて発光ユニット２８の位置を移動させるズーム処理を実行し（Ｓ５１１−１）、旧システム処理を実行する（Ｓ５１１−２）。このズーム処理と旧システム処理は、本フラッシュ装置１０がカメラに装着されている場合に実行される処理である。旧システム処理は、フラッシュ装置１０がフラッシュ装置１０との通信機能を有さない旧カメラに装着されている場合に、カメラ接続端子５６を介して充電完了信号と、フラッシュ装置１０でセットされるＦ値に対応したパルス信号をカメラに送信するための処理である。
【００３５】
旧システム処理を実行したら、低速モードに移行し（Ｓ５１２）、タイマーＡオーバーフラグが１になるまで待機する（Ｓ５１３；Ｎ）。タイマーＡオーバーフラグには、タイマーＡがタイムアップしたときに１がセットされる。そしてタイマーＡオーバーフローフラグが１になったときは、高速モードへ移行し、タイマーＡオーバーフラグを０にしてＳ５０５へ戻る（Ｓ５１３；Ｙ、Ｓ５１４、Ｓ５１５）。つまり、タイマーＡはタイムアップする毎に再スタートし、メインスイッチ６４のオンまたはＷＬ状態では、以上のＳ５０５〜Ｓ５１５の処理が１２５ｍｓに１回実行される。
【００３６】
次に、Ｓ５０８−２で実行されるモデリング発光処理について、図７に示されるフローチャートを参照して詳細に説明する。この処理に入ると先ず、変数ｉに初期値０をセットし（Ｓ５３０）、変数ｉが５０であるか否かをチェックする（Ｓ５３１）。変数ｉは、キセノン管２４の発光回数をカウントするためのカウンタ変数である。変数ｉが５０に達していなければ（Ｓ５３１；Ｎ）、モデリング発光周期タイマーを２０ｍｓにセットしてスタートさせる（Ｓ５３２）。モデリング発光周期タイマーは、キセノン管２４の発光開始時から次の発光開始時までの間隔を規定するタイマーである。
【００３７】
続いて、モデリングＤ／Ａレベルを算出する（Ｓ５３３）。このモデリングＤ／ＡレベルはＤ／Ａ変換ポートＰｄａの出力レベル（基準電圧ＦＰｌｖｌ）であり、キセノン管２４の発光量を規定するものである。フラッシュＣＰＵ６５は、式；magfire_da [ZOOM] / Ａを用い、フル発光時のガイドナンバーの１／Ａ倍に対応させてモデリングＤ／Ａレベルを算出する。
上式において、magfire_da[ZOOM]はズーム位置ZOOMでのフル発光時に必要なＤ／Ａレベルである。基本的には各ズーム位置でのフル発光時のガイドナンバーに対応するmagfire_daの値は同一なるはずであるが、本実施形態ではズーム位置移動による受光素子２５の出力誤差を考慮して、magfire_daの値を各ズーム位置に応じて設定してある。また、Ａはキセノン管２４の各発光量がフル発光量に対して何分の一であるかを示す規定値である。magfire_da[ZOOM]のデータテーブルと規定値Ａ（共に図９参照）は、ＥＥＰＲＯＭ６０に格納されており、必要に応じて書き換えることができる。
【００３８】
モデリングＤ／Ａレベルを算出したら、trigger_normal処理を実行する（Ｓ５３４）。trigger_normal処理は、キセノン管２４を１回発光させる処理であって、キセノン管２４の発光は受光素子２５の受光量に対応する電圧ＰＤＦｌがＳ５３３で算出したモデリングＤ／Ａレベル（基準電圧ＦＰｌｖｌ）に達するまで継続される。このtrigger_normal処理を実行したら、モデリング発光周期タイマーがタイムアップするまで待機し（Ｓ５３５；Ｎ）、タイムアップしたら変数ｉを＋１カウントアップしてＳ５３１へ戻る（Ｓ５３６）。
【００３９】
上述のＳ５３１〜Ｓ５３６の処理は、変数ｉが５０になるまで、モデリング発光周期２０ｍｓで繰り返し実行される。すなわち本実施形態では、キセノン管２４の発光回数が５０回に達するまで、２０ｍｓ毎にキセノン管２４の発光が開始される。そして、変数ｉが５０になったときは、メイン処理へリターンする（Ｓ５３１；Ｙ）。以上により、本実施形態のモデリング発光は２０ｍｓ×５０回＝１秒間行われることになる。
【００４０】
次に、Ｓ５３４で実行されるtrigger_normal処理について、図８に示されるフローチャートを参照して詳細に説明する。この処理に入ると先ず、ポートＰ４及びＰ５を“０”にすると共にポートＰ６及びＰ７を“１”にし（Ｓ５５０）、Ｓ５３３で算出したモデリングＤ／Ａレベルに相当する基準電圧ＦＰｌｖｌをＤ／Ａ変換ポートＰｄａから出力し（Ｓ５５１）、出力ポートＰ４（３０Ｖｏｎ信号）を“１”にする（Ｓ５５２）。出力ポートＰ４が“１”になると、３０Ｖ発生回路７７から３０Ｖの電圧が出力され、レベルシフト回路７８に印加される。
【００４１】
続いて、出力ポートＰ５（ＩＧＢＴｃｔｌ信号）を“１”とする（Ｓ５５３）。すると、レベルシフト回路７６は３０Ｖ発生回路７７から与えられた３０Ｖ電圧をＩＧＢＴ８３のゲートＩＧＢＴｇに印加してＩＧＢＴ８３をオンさせる。出力ポートＰ５を“１”にしたら、タイマーＢを５ｍｓにセットしてスタートさせる（Ｓ５５４）。タイマーＢは、キセノン管２４の最大発光時間を規定するタイマーである。
【００４２】
続いて、出力ポートＰ６を“０”にする（Ｓ５５５）。Ｓ５５３にて出力ポートＰ６が“１”から“０”に切り換えられると、受光素子２５からの光電流がコンデンサー７３にて積分可能となる。出力ポートＰ６を“０”にしたら、ポートＰ５を出力ポートから入力ポートに切り換える（Ｓ５５６）。すると、ポートＰ５は非接続状態と等価となり、コンパレータ７５の出力がＩＧＢＴｃｔｌ信号としてレベルシフト回路７８へ出力される。一方、フラッシュＣＰＵ６５は、ポートＰ５を介してコンパレータ７５の出力レベルをモニタすることができる。
【００４３】
ポートＰ５を入力ポートに切り換えたら、ポートＰ５が“０”か否かをチェックする（Ｓ５５７）。この状態では、キセノン管２４がまだ発光していないので、受光素子２５からは光電流が出力されず、ポートＰ５（＝コンパレータ７５の出力）は通常“１”になっている。すなわち、Ｓ５５７にてポートＰ５が“０”であった場合は何らかのエラーが生じている場合である。この場合には（５５７；Ｙ）、タイマーＢがタイムアップしたか否かをチェックし（Ｓ５５８）、タイムアップしていなければＳ５５７へ戻る（Ｓ５５８；Ｎ）。一方、ポートＰ５が“０”の状態のままタイマーＢがタイムアップしたときは（Ｓ５５８；Ｙ）、タイマーＢを停止し（Ｓ５５９）、各ポートをリセットしてモデリング発光処理へ戻る（Ｓ５６０）。本実施形態では、Ｓ５６０からモデリング発光処理へ戻ると、モデリング発光周期タイマーがタイムアップしたときに再度、本trigger_normal処理に入り、１ｍｓ間はモデリング発光処理が続行される。但し、別実施形態として、ポートＰ５が“０”の状態のままタイマーＢがタイムアップした場合には（Ｓ５５８；Ｙ）、モデリング発光処理を停止させ、メイン処理のＳ５０９又はＳ５１０でエラー表示を行う構成にすることも可能である。
【００４４】
ポートＰ５が“０”でなかった場合は（Ｓ５５７；Ｎ）、出力ポートＰ３を“１”にしてキセノン管２４の発光を開始させ（Ｓ５６１）、ポートＰ５が“１”であるか否かをチェックする（Ｓ５６２）。ポートＰ５は、受光素子２４の受光量に対応する電圧ＰＤｆｌが基準電圧ＦＰｌｖｌに達したとき、すなわちキセノン管２４の発光量がフル発光量の１／Ａ倍に達したときに、“１”から“０”へ変化する。ポートＰ５が“１”であった場合は（Ｓ５６２；Ｙ）、タイマーＢがタイムアップしたか否かをチェックし（Ｓ５６３）、タイムアップしていなければＳ５６２へ戻る（Ｓ５６３；Ｎ）。ポートＰ５が“０”になる前にタイマーＢがタイムアップした場合は（Ｓ５６３；Ｙ）、タイマーＢを停止し（Ｓ５６４）、Ｓ５６５へ進む。一方、ポートＰ５が“１”でなかった場合は（Ｓ５６２；Ｎ）、Ｓ５６３及びＳ５６４の処理をスキップしてＳ５６５へ進む。
【００４５】
続いて、ポートＰ５を入力ポートから出力ポートに切り換え（Ｓ５６５）、ポートＰ５（ＩＧＢＴｃｔｌ信号）を“０”にしてＩＧＢＴ８３をオフさせ（Ｓ５６６）、ポートＰ３（ＴＲＩＧｏｎ信号）を“０”にする（Ｓ５６７）。ここでポートＰ３を“０”にするのは、一旦オフしたＩＧＢＴ８３がコンパレータ７５のノイズにより再度オンされた場合に、キセノン管２４の発光が繰り返れないようにするための処理である。そして、タイマーＢを停止し（Ｓ５６８）、各ポートをリセットしてモデリング発光処理にリターンする（Ｓ５６９）。
【００４６】
以上のように本実施形態では、キセノン管２４の発光を受光素子２５の受光量が所定量に達するまで継続させるので、モデリング発光中のキセノン管２４の各発光量を一定にすることができる。これにより、モデリング発光の完了間際に光量不十分となる事態も生じず、安定したモデリング発光を行うことができる。なお、モデリング発光におけるキセノン管２４の発光周期及び発光回数は、本実施形態の数値に限らず、適宜設定可能である。
【００４７】
また本実施形態では、キセノン管２４の１回の発光量をガイドナンバーの１/Ａ倍に設定しているので、ズーム位置によらず、同一の発光量でモデリング発光を行うことができる。すなわち本実施形態では、被写体側でのガイドナンバーがズーム位置に応じて変化している。なお、本実施形態とは別の実施形態では、モデリング発光において、全ズーム位置で同一の明るさで被写体を照射できるように（ズーム位置によらず被写体側でのガイドナンバーが同一となるように）、ガイドナンバーの増減に応じてモデリングＤ／Ａレベルを調整する構成にすることができる。
【００４８】
また本実施形態では、モデリングスイッチ６３ａがオン操作された時に、モデリング発光処理を実行する構成としているが、種々の変形が可能である。例えば、フラッシュ装置１０がカメラの外付けフラッシュとして機能する場合には、カメラ側との通信によりモデリング発光開始指令を入力した時に、モデリング発光処理を実行させる構成とすることができる。またフラッシュ装置１０がスレーブフラッシュとして機能する場合には、カメラ側からの光指令信号によりモデリング発光開始が指示された時に、モデリング発光処理を実行させる構成とすることができる。
【００４９】
【発明の効果】
本発明のモデリング発光装置によれば、モデリング発光中の各発光量が同一となるように発光制御するので、安定したモデリング発光を行うことができ、モデリング発光中に発光不良となる虞がない。
【図面の簡単な説明】
【図１】本発明を適用したフラッシュ装置の概略外観図である。
【図２】同フラッシュ装置の発光部を示す模式断面図である。
【図３】同フラッシュ装置の制御系の構成を示すブロック図である。
【図４】従来のフラッシュ装置によるモデリング発光を説明する図である。
【図５】図１のフラッシュ装置によるモデリング発光を説明する図である。
【図６】同フラッシュ装置のメイン処理に関するフローチャートである。
【図７】同フラッシュ装置のモデリング発光処理に関するフローチャートである。
【図８】同フラッシュ装置のトリガー処理に関するフローチャートである。
【図９】図７のモデリング発光処理で使用する制御用データの一例を示す図である。
【符号の説明】
１０  フラッシュ装置
１１  本体部
１２  発光部
１３  マウント部
２１  フレネルレンズ
２２  ガラス板
２３  拡散シート
２４  キセノン管
２５  受光素子
２６  反射傘
２７  ホルダ
２８  発光ユニット
２９  ガイド筒
３０  ガイドロット
３１  ギヤ
３２  送りねじ
５１  電池
５２  ショットキーダイオード
５３  ７３  コンデンサー
５４  レギュレータ
５６  カメラ接続端子（Ｃ、Ｒ、Ｑ、Ｘ、Ｇ）
５７  ワイヤレス受光素子
５８  ワイヤレス受光回路
５９  カメラ通信インターフェース
６０  ＥＥＰＲＯＭ
６１  ズームモータ
６２  モータドライブ回路
６３  情報設定スイッチ群
６３ａ  モデリングスイッチ
６５  フラッシュＣＰＵ
６６  昇圧回路
６７  ６８  ８４  ダイオード
６９  充電検出回路
７０  外光オート回路
７１  外光オート受光素子
７２  ＬＣＤ表示器
７４  ７６  抵抗
７５  コンパレータ
７７  ３０Ｖ発生回路
７８  レベルシフト回路
７９  メインコンデンサー
８０  トリガー回路
８１  コイル
８３  ＩＧＢＴ
【図１】
0004160743.tif 000002
【図２】
0004160743.tif 000003
【図３】
0004160743.tif 000004
【図４】
0004160743.tif 000005
【図５】
0004160743.tif 000006
【図６】
0004160743.tif 000007
【図７】
0004160743.tif 000008
【図８】
0004160743.tif 000009
【図９】
0004160743.tif 000010